(57)【要約】      （修正有）【課題】切込みを用いて名刺をノベルティに取付可能とするとともに、名刺以外の例えば、プリペイドカードやポイントカード、カタログカード、写真等の、名刺とは異なるサイズのものも難なく取り付けることができるように構成した包装ケースを提供する。【解決手段】１．原紙を素材として包装ケースを作製するとともに、包装ケースの適宜の面を構成する形成片に名刺等の角部を係止する切込みを設け、かつこの切込みを名刺等のサイズに応じて所定のエリア内に複数段設けた包装ケース。２．名刺等が、通常の名刺や女性用の名刺、プリペイドカード、ポイントカード、カタログカード、写真等からなる包装ケース。３．包装ケース内に収納される収納物が、木炭を素材とする活性炭を通気性の包装資材に収納した消臭材からなる包装ケース。【選択図】図１
0003116083.tif 000002
【実用新案登録請求の範囲】
【請求項１】
原紙を素材として包装ケースを作製するとともに、包装ケースの適宜の面を構成する形成片に名刺等の角部を係止する切込みを設け、かつこの切込みを名刺等のサイズに応じて所定のエリア内に複数段設けたことを特徴とする包装ケース。
【請求項２】
名刺等が、通常の名刺や女性用の名刺、プリペイドカード、ポイントカード、カタログカード、写真等からなることを特徴とする請求項１に記載の包装ケース。
【請求項３】
包装ケース内に収納される収納物が、木炭を素材とする活性炭を通気性の包装資材に収納した消臭材からなることを特徴とする請求項１または２に記載の包装ケース。
【考案の詳細な説明】
【技術分野】
【０００１】
この考案は、例えば家庭や事業所を訪問して営業活動を行うセールスマンが戸別訪門をする際、あるいは、年賀や引越しなどの挨拶のために訪問する際に、提供するタオル、手拭い、ふろしき等の布製身回品、その他のノベルティ（挨拶品）を収納するのに適した包装ケースに関する。
【背景技術】
【０００２】
例えば、家庭や事業所を訪問して営業活動を行うセールスマンが戸別訪問をする際、商品販売契約の成立を意図し、タオル等の和製身回品をノベルティ（挨拶品）として提供する営業活動が行われるが、しかる場合、セールスマンは、自己の名刺を上記ノベルティに添えて差し出すことを常としている。
【０００３】
しかるに、従来のノベルティ（挨拶品）を収納するケース類には、名刺をセットするための格別の梢造がなんら付設されていないため、セールスマンの名刺は、ノベルティとは別に相手に差し出すしか方法がなく、また、贈呈するノベルティとセールスマンとの関連を強調するためには、ノベルティを提供するセールスマンの名刺を、接着テープ若しくは糊等を使用してノベルティに貼着して提示していた。
【０００４】
しかしながら、名刺をノベルティと別個に差し出す場合には、セールスマンが帰った後において、名刺が破棄されるときは、ノベルティだけがそれを持参した販売業者とは分離された状態で孤立してしまうため、営業活動の実効があがらない一方、ノベルティに名刺を粘着する方法は、接着テープ若しくは接着剤を必要とすると同時に、その貼着作業が面倒な欠点を有する。
【０００５】
そこでセールスマンの名刺をノベルティに取り付ける際に、接着テープ若しくは糊を使用しないで提示できるように、ノベルティを収納するケース類の表面に名刺を収納するための切込みを形成した包装ケース（実開昭６３−４０３１６号公報  特許文献１参照）や贈答品収納紙箱（実開平１−５３０１４号公報  特許文献２参照）等が提案されている。
【特許文献１】実開昭６３−４０３１６号公報
【特許文献２】実開平１−５３０１４号公報
【考案の開示】
【考案が解決しようとする課題】
【０００６】
確かに、上述のような切込みを用いて名刺をノベルティに取付可能とした場合には、取付作業が簡単で、面倒な接着テープ若しくは接着剤を不要とすることができるが、そのような切込みは一定のサイズを備えた名刺にしか適用することができなかった。
他方、贈呈するノベルティとセールスマンとの関連を強調するためには、名刺以外の例えば、プリペイドカードやポイントカード、カタログカード、写真等をも取り付けることが必要となっており、このようなカードや写真等は名刺とは異なるサイズであることが多かった。
【０００７】
この考案は、上述した問題点に着目してその欠点を解消しようとするもので、切込みを用いて名刺をノベルティに取付可能とするとともに、名刺以外の例えば、プリペイドカードやポイントカード、カタログカード、写真等の、名刺とは異なるサイズのものも難なく取り付けることができるように構成した包装ケースを提供することを企図して創作されたものである。
【課題を解決するための手段】
【０００８】
かかる目的を達成するために創作されたこの考案の包装ケースは、原紙を素材として包装ケースを作製するとともに、包装ケースの適宜の面を構成する形成片に名刺等の角部を係止する切込みを設け、かつこの切込みを名刺等のサイズに応じて所定のエリア内に複数段設けたことを特徴とするものである。
【０００９】
この考案の包装ケースは、上記名刺等が、通常の名刺や女性用の名刺、プリペイドカード、ポイントカード、カタログカード、写真等からなることをも特徴とするものである。
【００１０】
この考案の包装ケースは、上記包装ケース内に収納される収納物が、木炭を素材とする活性炭を通気性の包装資材に収納した消臭材からなることをも特徴とするものである。
もちろん、不織布等を炭化したペーパー炭やプラスチック素材を炭化したプラスチック炭等をも同様に用いてもよい。
【考案の効果】
【００１１】
この考案は以上の構成を有しているので、切込みを用いて名刺をノベルティに簡単に取り付られるようになるとともに、名刺以外の例えば、プリペイドカードやポイントカード、カタログカード、写真等の、名刺とは異なるサイズのものも難なく取り付けることができるように構成した包装ケースを提供することが可能となった。
【考案を実施するための最良の形態】
【００１２】
以下、この考案の包装ケースの実施の形態を、図面に基いて詳細に説明する。
図１はこの考案の包装ケースの１実施例を示す斜視図、図２は当該包装ケースに収納する消臭材の１例を示す斜視図、図３はその中央横断面図、図４はこの考案の包装ケースの他の実施例を示す斜視図である。
【００１３】
図１の実施例において、この考案の包装ケース１１は、原紙を素材として平板状の箱型に作製されており、長さ方向の両端に設けた開口部分１３を蓋部１５によって開閉できるようになっている。１７は蓋部１５先端の差込片である。
そして、包装ケース１１の上面を構成する形成片１９には、名刺２１等の角部２３を係止する切込み２５が設けられており、この切込み２５に名刺２１等の角部２３を差し込むことにより、名刺２１等は簡単に形成片１９表面に取り付けられるようになっている。
【００１４】
この考案の包装ケース１１においては、この切込み２５（四隅固定用）が名刺２１等のサイズに応じて、所定のエリア（図では形成片１９のほぼ全面）内に複数段設けてある。すなわち、最も内側の切込み２５−１から中間の切込み２５−２、最も外側の切込み２５−３であるが、この切込み２５は複数あればよく、その数は問わない。
上記切込み２５−１〜２５−３には、例えば通常の名刺やプリペイドカード、ポイントカードは中間の切込み２５−２に、女性用の名刺は最も内側の切込み２５−１に、カタログカード、写真等は最も外側の切込み２５−３にというように、そのサイズに応じて適宜最適の切込み２５を選んで収納することができる。
【００１５】
図２および図３は上記包装ケース１１内に収納される収納物を示すものである。
すなわちこの考案の包装ケースは、当該包装ケース１１内に収納される収納物が、木炭を素材とする活性炭３３を通気性の包装資材３５に収納した消臭材３１であることをも特徴としている。
上記木炭を素材とする活性炭３３としては、木材の間伐材や建築物の木質系廃材、その他の産業廃棄物として処分される材料を用いて炭焼き窯で炭化させ、得た炭化物を所定の大きさの粒状あるいは粉状に粉砕したものを利用することが、環境やコスト面から見て望ましい。
【００１６】
通気性の包装資材３５としては、回収した紙や繊維質素材の廃棄物を分解し、得たパルプ素材を用いて不織布としたものが望ましいが、通気性に優れ、かつ安価であればどのようなシート素材を用いても良い。なお、このような素材の通気性の包装資材３５を用いた場合、活性炭３３の粒子や粉末が飛散しない程度の目の粗さであることが望ましいのはいうまでもない。
【００１７】
図４はこの考案の包装ケース４１の他の実施例を示すもので、包装ケース４１は筒状に形成されており、収納物がない場合には扁平に畳むことができるようになっている。そして筒状の両側端部にはそれぞれ円弧状に突出する折込み片４３，４５が上下に対向するよう形成されている。
また折込み片４３，４５の先端から所定の位置の包装ケース４１上には、折込み片４３，４５の円弧状に突出する端部と逆の向きの円弧状の折り目４７が形成されており、上下一対の折込み片４３，４５を折り目４７位置で折込むと、上下一対の折込み片４３，４５は円弧状に開口部分をふさぐ形態となるので、自然に開口部分が閉鎖された状態となる。
【００１８】
図４の包装ケース４１においても、複数段の切込み５１（対角線保持用）が名刺２１等のサイズに応じて、所定のエリア（図では形成片４９のほぼ全面）内に複数段設けてある。すなわち、最も内側の切込み５１−１から中間の切込み５１−２、最も外側の切込み５１−３であるが、この切込み５１も複数あればよく、その数は問わない。
【００１９】
この考案は、上述のように包装ケース１１，４１の形成片１９，４９に、名刺２１等の角部を挿入係止する切込み２５，５１を設けたため、セールスマンなどが戸別訪問する際には、接着テープあるいは接着剤を必要とすることなく、図１、図４図示のように訪問者の名刺２１等をノベルティを収納した包装ケース１１，４１の形成片１９，４９に同体的に添付した状態で相手方に提供することができるという顕著な作用効果を発揮する。
【００２０】
また上記包装ケース１１，４１に活性炭３３からなる消臭材３１を収納することにより、消臭材３３の寿命が約３〜６ヶ月と長いことと相まってノベルティとして非常に有効であり、またその消臭作用の活用も、家屋の室内、下駄箱、冷蔵庫、自動車の車内等に幅広く用いることができる。
さらに、従来の名刺やポイントカードのみを取り付けるだけのノベルティとは異なり、通常の名刺から女性用の名刺、プリペイドカード、ポイントカード、カタログカード、写真等を適宜に取り付けることができるようになった。
【産業上の利用可能性】
【００２１】
この考案の包装ケースは、上記ノベルティ用途のみならず、一般的な包装ケースとして、あるいはノベルティ用途以外の特殊な包装ケースとしても使用することができる。
また例えば、直接包装ケースに印刷等を施さないで、通常の名刺から女性用の名刺、プリペイドカード、ポイントカード、カタログカード、写真等で印刷の代用とすることも可能である。
【図面の簡単な説明】
【００２２】
【図１】この考案の包装ケースの１実施例を示す斜視図である。
【図２】当該包装ケースに収納する消臭材の１例を示す斜視図である。
【図３】その中央横断面図である。
【図４】この考案の包装ケースの他の実施例を示す斜視図である。
【符号の説明】
【００２３】
１１  包装ケース
１３  開口部分
１５  蓋部
１７  差込片
１９  形成片
２１  名刺
２３  角部
２５  切込み
２５−１，２５−２，２５−３  切込み
３１  消臭材
３３  活性炭
３５  通気性の包装資材
４１  包装ケース
４３，４５  折込み片
４７  折り目
４９  形成片
５１  切込み
５１−１，５１−２，５１−３  切込み
【図１】
0003116083.tif 000003
【図２】
0003116083.tif 000004
【図３】
0003116083.tif 000005
【図４】
0003116083.tif 000006